(57)【要約】【課題】止水役物において屈曲部が設けられていても、当該屈曲部の隅部を通じて止水役物とジョイントテープとの間に水が浸入しないようにすることができる建物の排水構造及び建物を得る。【解決手段】上階側外壁パネル３０Ａと下階側外壁パネル３０Ｂとの間には止水部材５０が配設されている。この止水部材５０は、止水役物５２及び止水役物５４がジョイントテープ５６によって接合されて形成されている。ジョイントテープ５６の両側部からはひれ部５８、６０がそれぞれ突出し、ジョイントテープ５６が止水役物５２、５４に貼着された状態で、ひれ部５８の頂部５８Ａが止水役物５２における屈曲部６２の隅部６２Ａに貼着され、ひれ部６０の頂部６０Ａが止水役物５４における屈曲部６４の隅部６４Ａに貼着される。つまり、当該隅部６２Ａ、６４Ａは塞がれ、止水部材５０とジョイントテープ５６との間に水が浸入しないようにすることができる。【選択図】図１
2014114659.tif 000002
【特許請求の範囲】
【請求項１】
外壁パネルの下端部に配設され、屈曲部が設けられた止水役物と、
前記止水役物の前記屈曲部を跨ぐように貼着される長尺状のジョイントテープと、
前記ジョイントテープの側部から外側へ向かって張り出し前記屈曲部の隅部を塞ぐ閉塞部と、
を有する建物の排水構造。
【請求項２】
前記閉塞部は前記屈曲部の隅部に対向する頂部を備え三角状に形成されたひれ部である請求項１に記載の建物の排水構造。
【請求項３】
前記閉塞部は、少なくとも前記ジョイントテープの両側部に設けられている請求項１又は請求項２に記載の建物の排水構造。
【請求項４】
前記止水役物が複数設けられ、当該止水役物同士が前記ジョイントテープによって繋がれている請求項３に記載の建物の排水構造。
【請求項５】
前記止水役物が樹脂で形成され、当該止水役物同士が隙間を設けた状態で前記ジョイントテープによって繋がれている請求項４に記載の建物の排水構造
【請求項６】
請求項１〜請求項５の何れか１項に記載の外壁パネルにおいて上階側に位置する上壁側外壁パネルと、
前記外壁パネルにおいて下階側に位置する下階側外壁パネルと、
前記上壁側外壁パネルと前記下階側外壁パネルとの間に形成された横目地に配設され、請求項１〜請求項５の何れか１項に記載のジョイント部材が貼着された止水役物と、
を有する建物。
【発明の詳細な説明】
【技術分野】
【０００１】
本発明は、建物の排水構造及び建物に関する。
【背景技術】
【０００２】
特許文献１には、コンクリート打ち継ぎ部の防水装置に関する技術が開示されている。具体的には、この防水装置は、長尺状の合成樹脂テープに重合された支持材と、当該支持材よりも幅広に形成された不織布防水テープと、で構成されている。このため、コンクリート打ち継ぎ部に支持材を押し込んだ状態で、不織布防水テープによって当該コンクリート打ち継ぎ部の上面を平坦に閉塞することによって、コンクリート打ち継ぎ部への水の浸入を防止するというものである。
【先行技術文献】
【特許文献】
【０００３】
【特許文献１】実開平４−８６１０号公報
【発明の概要】
【発明が解決しようとする課題】
【０００４】
しかしながら、この先行技術では、コンクリート打ち継ぎ部の上面を平坦に閉塞するため、コンクリート打ち継ぎ部の上面に屈曲部が設けられた場合、当該コンクリート打ち継ぎ部と不織布防水テープとの間に隙間が設けられる可能性がある。この場合、当該隙間を通じてコンクリート打ち継ぎ部内へ水が浸入する虞がある。
【０００５】
本発明は上記事実を考慮し、止水役物において屈曲部が設けられていても、当該屈曲部の隅部を通じて止水役物とジョイントテープとの間に水が浸入しないようにすることができる建物の排水構造及び建物を得ることが目的である。
【課題を解決するための手段】
【０００６】
請求項１記載の本発明に係る建物の排水構造は、外壁パネルの下端部に配設され、屈曲部が設けられた止水役物と、前記止水役物の前記屈曲部を跨ぐように貼着される長尺状のジョイントテープと、前記ジョイントテープの側部から外側へ向かって張り出し前記屈曲部の隅部を塞ぐ閉塞部と、を有している。
【０００７】
請求項１記載の本発明に係る建物の排水構造では、外壁パネルの下端部に配設された止水役物が屈曲部を備えている。当該止水役物には屈曲部を跨ぐようにして長尺状のジョイントテープが貼着されるが、ジョイントテープの側部からは、外側へ向かって閉塞部が張り出しており、屈曲部の隅部を塞ぐようになっている。
【０００８】
止水役物にジョイントテープが貼着される場合、止水役物の形状に沿って当該ジョイントテープは止水役物の表面に貼着されるが、止水役物に屈曲部が設けられている場合、当該ジョイントテープは屈曲部を跨るようにして貼着される。このため、一般的には、当該屈曲部の隅部とジョイントテープとの間には隙間が設けられる。しかし、本発明では、ジョイントテープの側部から張り出す閉塞部が屈曲部の隅部を塞ぐため、当該隙間は閉塞部によって塞がれることになる。
【０００９】
請求項２記載の本発明に係る建物の排水構造は、請求項１に記載の建物の排水構造において、前記閉塞部は前記屈曲部の隅部に対向する頂部を備え三角状に形成されたひれ部である。
【００１０】
請求項２記載の本発明に係る建物の排水構造では、閉塞部は三角状に形成されたひれ部であり、ひれ部は屈曲部の隅部に対向する頂部を備えており、当該ひれ部の頂部が止水役物の屈曲部の隅部に貼着される。
【００１１】
請求項３記載の本発明に係る建物の排水構造は、請求項１又は請求項２に記載の建物の排水構造において、前記閉塞部は、少なくとも前記ジョイントテープの両側部に設けられている。
【００１２】
請求項３記載の本発明に係る建物の排水構造では、閉塞部は、少なくともジョイントテープの両側部に設けられることで、２つの止水役物を当該ジョイントテープで繋げた際、止水役物の屈曲部を閉塞部によってそれぞれ塞ぐことができる。
【００１３】
請求項４記載の本発明に係る建物の排水構造は、請求項３に記載の建物の排水構造において、前記止水役物が複数設けられ、当該止水役物同士が前記ジョイントテープによって繋がれている。
【００１４】
請求項４記載の本発明に係る建物の排水構造では、止水役物が複数設けられ、当該止水役物同士がジョイントテープによって繋がれることで、止水役物の屈曲部を閉塞部によってそれぞれ塞ぐことができる。
【００１５】
請求項５記載の本発明に係る建物の排水構造は、請求項４に記載の建物の排水構造において、前記止水役物が樹脂で形成され、当該止水役物同士が隙間を設けた状態で前記ジョイントテープによって繋がれている。
【００１６】
請求項５記載の本発明に係る建物の排水構造では、止水役物が樹脂で形成されている。このため、当該止水役物は金属で形成された場合よりも線膨張係数が大きく熱によって膨張する場合があるが、止水役物同士で隙間を設けることによって、熱膨張による寸法変化分が吸収される。
【００１７】
請求項６記載の本発明に係る建物は、請求項１〜請求項５の何れか１項に記載の外壁パネルにおいて上階側に位置する上壁側外壁パネルと、前記外壁パネルにおいて下階側に位置する下階側外壁パネルと、前記上壁側外壁パネルと前記下階側外壁パネルとの間に形成された横目地に配設され、請求項１〜請求項５の何れか１項に記載のジョイント部材が貼着された止水役物と、を有している。
【００１８】
請求項６記載の本発明に係る建物では、外壁パネルにおいて上階側に位置する上壁側外壁パネルと下階側に位置する下階側外壁パネルとの間に形成された横目地に止水役物が配設されている。この止水役物にはジョイントテープが貼着されており、当該ジョイントテープに形成された閉塞部によって止水役物に形成され屈曲部の隅部が覆われている。つまり、当該屈曲部の隅部への浸水経路が閉塞部によって遮断される。
【発明の効果】
【００１９】
以上説明したように、請求項１記載の本発明に係る建物の排水構造は、止水役物において屈曲部が設けられていても、閉塞部によって当該屈曲部の隅部を塞ぐことで、当該隅部通じて止水役物とジョイントテープとの間に水が浸入しないようにすることができる、という優れた効果を有する。
【００２０】
請求項２記載の本発明に係る建物の排水構造は、簡単な構成で屈曲部の隅部への浸水経路を遮断することができる、という優れた効果を有する。
【００２１】
請求項３記載の本発明に係る建物の排水構造は、複数の止水役物において屈曲部の隅部への浸水経路をそれぞれ遮断することができ、防水性能を確保することができる、という優れた効果を有する。
【００２２】
請求項４記載の本発明に係る建物の排水構造は、止水役物同士の屈曲部の隅部において、浸水経路をそれぞれ遮断することができる、という優れた効果を有する。
【００２３】
請求項５記載の本発明に係る建物の排水構造は、止水役物が金属で形成された場合よりも軽量化及びコストダウンを図ることができる、という優れた効果を有する。
【００２４】
請求項６記載の本発明に係る建物は、建物の防水性能を確保することで、建物のメンテナンス費用を削減することができ、ユーザーの経済的負担を軽減することができる、という優れた効果を有する。
【図面の簡単な説明】
【００２５】
【図１】本実施の形態に係る建物の排水構造を構成する止水役物及び外壁パネルを示す分解斜視図である。
【図２】本実施の形態に係る建物の排水構造を構成する止水役物の要部を示す模式的な断面斜視図である。
【図３】（Ａ）は図２において前方かつ斜め上方から見た正面図であり、（Ｂ）は（Ａ）の３（Ｂ）−３（Ｂ）線に沿って切断された状態を示す断面図である。
【図４】（Ａ）は比較例を示す図３（Ａ）に対応する正面図あり、（Ｂ）は（Ａ）の４（Ｂ）−４（Ｂ）線に沿って切断された状態を示す断面図である。
【発明を実施するための形態】
【００２６】
以下、図面を用いて、本実施の形態に係る建物の排水構造について説明する。
【００２７】
（止水部材の構成）
まず、本実施形態に係る建物の排水構造を構成する止水部材の構成について説明する。
図１に示されるように、例えば、この建物１０の外壁パネル３０には、押出し成形セメント板（ＥＣＰ）が用いられており、階層毎に外壁パネル３０が区切られている。この外壁パネル３０は、屋外１７側に配置されて意匠面を形成する外壁部３２と、当該外壁部３２に対して平行に配置された内壁部３４と、を含んで構成されており、外壁部３２と内壁部３４との間には、外壁部３２と内壁部３４とを垂直に繋ぐ複数の連結部３６が所定のピッチで設けられている。
【００２８】
つまり、この外壁パネル３０は、その内部において所定のピッチで複数の中空部３８が高さ方向に沿って延在されている。この中空部３８は、上階側の外壁パネル（以下、「上階側外壁パネル」という）３０Ａの中空部３８Ａと下階側の外壁パネル（以下、「下階側外壁パネル」という）３０Ｂの中空部３８Ｂとが、建物高さ方向に連続して互いに連通するように配置されている。また、下階側外壁パネル３０Ｂでは、連結部３６における外壁部３２側に、隣接する中空部３８Ｂ同士を繋ぐスリット３６Ａが外壁部３２と平行に形成されている。
【００２９】
一方、上階側外壁パネル３０Ａと下階側外壁パネル３０Ｂとの間には、横目地４０が設けられており、同じ階における外壁パネル３０では、左右に隣接する外壁パネル３０との間に縦目地（図示省略）が設けられている。これらの目地４２には、建物１０の防水性能を確保するため、不定形シール（図示省略）がそれぞれ充填されている。しかし、これらの目地４２において、いわゆるシール切れを起こした場合、当該目地４２を通じて屋内１５側へ雨水が浸入する可能性がある。
【００３０】
このため、上階側外壁パネル３０Ａと下階側外壁パネル３０Ｂとの間には、止水部材５０が配設されている。この止水部材５０は、樹脂で形成されており、鉛直方向に沿って切断された断面形状がクランク形状を成す止水役物５２と止水役物５４とを含んで構成されている。
【００３１】
止水役物５２は、上階側外壁パネル３０Ａの背面（内壁部３４）と対向可能に設けられた立壁部５２Ａを備えている。この立壁部５２Ａの下端部からは、上階側外壁パネル３０Ａの下端面３１と対向可能な水平部５２Ｂが略水平方向に沿って延出している。なお、水平部５２Ｂは立壁部５２Ａから離間するにつれて僅かに下方へ傾斜する傾斜面である方が好ましい。また、水平部５２Ｂの先端部には、下方へ向かって屈曲し、下階側外壁パネル３０Ｂの中空部３８及びスリット３６Ａ内へ差し込まれる差し込み片５２Ｃが設けられている。
【００３２】
また、止水役物５４は、止水役物５２と同様、上階側外壁パネル３０Ａの背面（内壁部３４）と対向可能に設けられた立壁部５４Ａを備えている。この立壁部５４Ａの下端部からは、上階側外壁パネル３０Ａの下端面３１と対向可能な水平部５４Ｂが略水平方向に沿って延出している。なお、水平部５４Ｂは立壁部５４Ａから離間するにつれて僅かに下方へ傾斜する傾斜面である方が好ましい。また、水平部５４Ｂの先端部には、下方へ向かって屈曲し、下階側外壁パネル３０Ｂの中空部３８及びスリット３６Ａ内へ差し込まれる差し込み片５４Ｃが設けられている。
【００３３】
ここで、止水役物５２と止水役物５４とは、隙間ｔを設けた状態でジョイントテープ５６によって接合されている。このジョイントテープ５６の両側部からは、正面視で三角形状を成す閉塞部としてのひれ部５８、６０がそれぞれ突出している。ひれ部５８の頂部５８Ａは、止水役物５２における立壁部５２Ａと水平部５２Ｂとで形成される屈曲部６２の隅部６２Ａと対向する位置に形成され、ひれ部６０の頂部６０Ａは、止水役物５４における立壁部５４Ａと水平部５４Ｂとで形成される屈曲部６４の隅部６４Ａと対向する位置に形成されている。
【００３４】
このため、止水役物５２及び止水役物５４にジョイントテープ５６が貼着された状態で、当該ジョイントテープ５６に形成されたひれ部５８の頂部５８Ａが止水役物５２の屈曲部６２の隅部６２Ａに貼着される、また、ひれ部６０の頂部６０Ａが止水役物５４の屈曲部６４の隅部６４Ａに貼着される。
【００３５】
このように、ジョイントテープ５６によって止水役物５２及び止水役物５４が接合された状態の止水部材５０が、上階側外壁パネル３０Ａと下階側外壁パネル３０Ｂとの間の横目地４０に対応する部分に配設される。そして、当該横目地４０に対応する部分には、図示はしないが、横目地バッカーが配設され、当該横目地バッカーの屋外１７側には、不定形シールが充填される。
【００３６】
（止水部材の作用・効果）
次に、本実施形態に係る建物の排水構造を構成する止水部材の作用・効果について説明する。
【００３７】
図１に示されるように、外壁１１の一部を構成し、上下に配置された上階側外壁パネル３０Ａ及び下階側外壁パネル３０Ｂには、鉛直方向に沿って中空部３８Ａ、中空部３８Ｂがそれぞれ貫通しており、中空部３８Ａと中空部３８Ｂとは互いに連通している。そして、上階側外壁パネル３０Ａと下階側外壁パネル３０Ｂとの間に設けられる横目地４０の奥方には、止水部材５０が設けられている。
【００３８】
このため、雨水などの浸入により、上階側外壁パネル３０Ａの中空部３８内を流れる水、或いは縦目地（図示省略）及び横目地４０において浸入した水が止水部材５０に到達したとする。すると、止水部材５０に到達した水は、当該止水部材５０を構成する止水役物５２、５４の水平部５２Ｂ、水平部５４Ｂ上を横走りすると共に、差し込み片５２Ｃ、５４Ｃを通じて下階側外壁パネル３０Ｂの中空部３８Ｂ内へ排出され、最終的に建物１０外へ排出される。つまり、上階側外壁パネル３０Ａと下階側外壁パネル３０Ｂとの間に止水部材５０を設けることによって、建物１０における排水経路を確保することができる。
【００３９】
ここで、本実施形態では、図２及び図３（Ａ）に示されるように、ジョイントテープ５６の両側部からは、ひれ部５８、６０がそれぞれ突出している。なお、図２及び図３（Ａ）は、止水部材５０の要部が模式的に示されており、差し込み片５２Ｃ、５４Ｃの図示は省略している。
【００４０】
図２及び図３（Ａ）に示されるように、ジョイントテープ５６が止水役物５２及び止水役物５４に貼着された状態で、当該ジョイントテープ５６に形成されたひれ部５８の頂部５８Ａは、止水役物５２における屈曲部６２の隅部６２Ａに貼着される。また、ひれ部６０の頂部６０Ａは、止水役物５４における屈曲部６４の隅部６４Ａに貼着される。
【００４１】
止水部材５０にジョイントテープ５６が貼着される場合、止水部材５０の形状に沿って当該ジョイントテープ５６は止水部材５０の表面に貼着されるが、図４に示されるように、止水役物１００に屈曲部１０２が設けられている場合、当該ジョイントテープ１０４は屈曲部１０２を跨るようにして貼着される。このため、当該屈曲部１０２の隅部１０２Ａとジョイントテープ１０４との間には隙間（いわゆるピンホール）１０６が設けられる。このため、当該隙間１０６を通じて、止水役物１００とジョイントテープ１０４との間に水が浸入してしまう。
【００４２】
しかし、本実施形態では、図２に示されるように、ジョイントテープ５６の両側部に設けられたひれ部５８、６０が屈曲部６２、６４の隅部６２Ａ、６４Ａをそれぞれ塞ぐため、図３（Ａ）、（Ｂ）に示されるように、隙間６１（図３（Ａ）参照）が塞がれることになる。したがって、止水部材５０において、止水役物５２、５４に屈曲部６２、６４がそれぞれ設けられていても、当該屈曲部６２、６４の隅部６２Ａ、６４Ａを通じて止水部材５０とジョイントテープ５６との間に水が浸入しないようにすることができる。
【００４３】
また、図２に示されるように、ジョイントテープ５６の両側部に三角形状のひれ部５８、６０をそれぞれ突出させ、当該ひれ部５８、６０の頂部５８Ａ、６０Ａを止水役物５２の隅部６２Ａ、止水役物５４の隅部６４Ａにそれぞれ貼着させることで、簡単な構成で複数の止水役物５２、５４における隅部６２Ａ、６４Ａへの浸水経路をそれぞれ遮断することができる。
【００４４】
これにより、図１に示されるように、建物１０における防水性能を確保することができる。したがって、建物１０のメンテナンス費用を削減することができ、ユーザーの経済的負担を軽減することができる。
【００４５】
一方、止水役物５２と止水役物５４とは、隙間ｔを設けた状態でジョイントテープ５６によって接合されている。止水役物５２、５４は樹脂で形成されているため、当該止水役物５２、５４が金属で形成された場合よりも線膨張係数が大きく熱によって膨張する場合がある。
【００４６】
このため、止水役物５２、５４同士で隙間ｔを設けることによって、熱膨張による寸法変化分が吸収される。換言すると、止水役物５２、５４の寸法変化分を考慮して対策を図ることで、当該止水役物５２、５４を樹脂で形成することができ、止水役物５２、５４が金属で形成された場合よりも軽量化及びコストダウンを図ることができる。なお、止水役物５２、５４がそれぞれ金属又はゴム弾性体で形成されも良いのは勿論のことである。また、ジョイントテープ５６の材質として、ゴム弾性体、樹脂（プラスチック）、不織布、又はアルミなどが挙げられるが、これら以外の材質でも良く、また、ジョイントテープ５６の片面には接着剤が設けられている。
【００４７】
（その他の実施形態）
本実施形態では、止水役物５２、５４は、立壁部５２Ａ、５４Ａと水平部５２Ｂ、５４Ｂと差し込み片５２Ｃ、５４Ｃとを含んでそれぞれ構成され、立壁部５２Ａと水平部５２Ｂとの間で隅部６２Ａが設けられ、立壁部５４Ａと水平部５４Ｂとの間で隅部６４Ａが設けられているが、この形状に限るものではない。
【００４８】
例えば、止水役物５２、５４において、図示はしないが、立壁部及び水平部が複数設けられ、それぞれ隅部が複数設けられた形状であっても良い。この場合、当該隅部に合わせて、ジョイントテープの側部にはひれ部が複数設けられることになる。
【００４９】
また、ジョイントテープ５６に形成されたひれ部５８、６０で、止水役物５２、５４に形成された屈曲部６２、６４をそれぞれ塞ぐことができれば良いため、当該止水役物５２、５４同士が略同じ形状でなくても良い。
【００５０】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００５１】
１０      建物
１１      外壁
３０      外壁パネル
３０Ａ    上階側外壁パネル（外壁パネル）
３０Ｂ    下階側外壁パネル（外壁パネル）
４０      横目地
５０      止水部材（止水役物）
５２      止水役物
５４      止水役物
５６      ジョイントテープ
５８      ひれ部（閉塞部）
５８Ａ    頂部
６０      ひれ部（閉塞部）
６０Ａ    頂部
６２      屈曲部
６２Ａ    隅部
６４      屈曲部
６４Ａ    隅部
【図１】
2014114659.tif 000003
【図２】
2014114659.tif 000004
【図３】
2014114659.tif 000005
【図４】
2014114659.tif 000006